(57)【要約】【課題】Ｓ／Ｎを確保しつつ、上りリンクの信号を増幅すること。【解決手段】制御装置は、上りリンクの信号の干渉波レベルに基づいて、増幅装置に設定する利得を決定する決定部と、決定部が決定した利得を示す情報を増幅装置へ出力する出力部とを備え、増幅装置は、制御装置が出力した利得を示す情報を取得する取得部と、端末装置が送信した上りリンクの信号を増幅する増幅部と、取得部が取得した利得を示す情報に基づいて、増幅部に利得を設定する設定部とを備える。【選択図】図２
2018056905.tif 000002
【特許請求の範囲】
【請求項１】
端末装置が送信した上りリンクの信号を増幅する増幅装置と該増幅装置を制御する制御装置とを備えるシステムであって、
前記制御装置は、
上りリンクの信号の干渉波レベルに基づいて、増幅装置に設定する利得を決定する決定部と、
前記決定部が決定した前記利得を示す情報を前記増幅装置へ出力する出力部と
を備え、
前記増幅装置は、
前記制御装置が出力した前記利得を示す情報を取得する取得部と、
端末装置が送信した上りリンクの信号を増幅する増幅部と、
前記取得部が取得した前記利得を示す情報に基づいて、前記増幅部に利得を設定する設定部と
を備えるシステム。
【請求項２】
前記制御装置は、
上りリンクの信号の干渉波レベルに基づいて、前記増幅装置の利得を変更するか否かを判定する判定部
を備え、
前記決定部は、前記判定部が前記増幅装置の利得を変更すると判定した場合に、上りリンクの信号の干渉波レベルに基づいて、前記増幅装置に設定する利得を決定する、請求項１に記載のシステム。
【請求項３】
前記判定部は、前記上りリンクの信号の干渉波レベルが第１の閾値以下である場合に、前記増幅装置の利得を変更すると判定する、請求項２に記載のシステム。
【請求項４】
前記判定部は、前記上りリンクの信号のＳ／Ｎ又はＮ成分が閾値未満である場合に、前記増幅装置の利得を変更すると判定する、請求項２に記載のシステム。
【請求項５】
前記制御装置は、
上りリンクの信号の干渉電力の一定時間の変動量を監視する監視部
を備え、
前記判定部は、前記監視部が監視している前記干渉電力の一定時間の変動量に基づいて、前記増幅装置の利得を変更するか否かを判定する、請求項２から請求項４のいずれか一項に記載のシステム。
【請求項６】
前記判定部は、前記利得を示す情報が前記増幅装置へ出力される前の上りリンクの信号のＳ／Ｎ又はＮ成分が、前記利得を示す情報が前記増幅装置へ出力された後の上りリンクの信号のＳ／Ｎ又はＮ成分と比べ、第２の閾値以上改善していない場合、前記利得を示す情報を前記増幅装置へ出力する前の利得へ変更すると判定する、請求項２から請求項５のいずれか一項に記載のシステム。
【請求項７】
前記出力部は、前記増幅装置へ電力を供給する電力線へ前記利得を示す情報を出力し、
前記取得部は、前記電力線から前記利得を示す情報を取得する、請求項１から請求項６のいずれか一項に記載のシステム。
【請求項８】
端末装置が送信した上りリンクの信号を増幅する増幅装置であって、
制御装置が出力した利得を示す情報を取得する取得部と、
端末装置が送信した上りリンクの信号を増幅する増幅部と、
前記取得部が取得した前記利得を示す情報に基づいて、前記増幅部に利得を設定する設定部と
を備える増幅装置。
【請求項９】
端末装置が送信する上りリンクの信号を増幅する増幅装置を制御する制御装置であって、
上りリンクの信号の干渉波レベルに基づいて、増幅装置に設定する利得を決定する決定部と、
前記決定部が決定した前記利得を示す情報を前記増幅装置へ出力する出力部と
を備える、制御装置。
【請求項１０】
端末装置が送信する上りリンクの信号を増幅する増幅装置と該増幅装置を制御する制御装置とを備えるシステムによって実行される増幅方法であって、
制御装置が、上りリンクの信号の干渉波レベルに基づいて、増幅装置に設定する利得を決定するステップと、
前記制御装置が、前記決定するステップで決定した前記利得を示す情報を前記増幅装置へ出力するステップと、
前記増幅装置が、前記制御装置が出力した前記利得を示す情報を取得するステップと、
前記増幅装置が、前記取得するステップで取得した前記利得を示す情報に基づいて、利得を設定するステップと、
前記増幅装置が、利得を設定するステップで設定した利得で、前記端末装置が送信する上りリンクの信号を増幅するステップと
を有する、増幅方法。
【発明の詳細な説明】
【技術分野】
【０００１】
本発明の実施形態は、システム、増幅装置、制御装置、及び増幅方法に関する。
【背景技術】
【０００２】
ＬＴＥ（Ｌｏｎｇ  Ｔｅｒｍ  Ｅｖｏｌｕｔｉｏｎ）が適用される無線通信システム（以下、「ＬＴＥシステム」という）は、ＣＤＭＡ（Ｃｏｄｅ  Ｄｉｖｉｓｉｏｎ  Ｍｕｌｔｉｐｌｅ  Ａｃｃｅｓｓ）が適用される無線通信システム等と比較して、干渉波によって、通信エリアでの通信品質が劣化しやすい。特に、ＬＴＥシステムでは、上りリンクの信号が通信エリアの通信品質の劣化のボトルネックとなることが多い。
ＬＴＥシステムでは、通信エリアを設計する際に、セクタを細分化したり、通信エリアを小さくしたりすることによって、特に他セルからのユーザ端末（Ｕｓｅｒ  Ｅｑｕｉｐｍｅｎｔ：ＵＥ）への干渉耐力を高めることが行われている。通信エリアを小さくすると、基地局の数を増加させる必要があるが、基地局を設置する場所の確保やインフラ構築費用等、費用対効果の点からバランスを取るのが難しい。
【０００３】
ＵＥが送信した上りリンクの信号が基地局へ届かないボトルネックを解消するために、ＴＡＡ（Ｔｏｗｅｒ  Ｔｏｐ  Ａｍｐｌｉｆｉｅｒ）を設置することが知られている。ＴＡＡは、送信アンプと受信アンプとをアンテナ直下に設置し、アンテナ給電系の損失を低減する。ＴＡＡを設置して、希望波と干渉波との受信レベルを増幅する際に、Ｓ／Ｎを改善できる通信エリアがあり、受信感度や上りスループット改善が見込める。
【０００４】
上りリンクの信号を増幅する技術に関して、移動機が送信した電波を増幅するブースターの利得を調節する技術が知られている（例えば、特許文献１参照）。この技術によれば、基地局等が送信したとまり木信号を受信して、該とまり木信号のブースターにおける受信電力を測定し、とまり木信号の基地局等における送信電力の情報を受信し、増幅された上り信号のブースターにおける雑音電力を測定する。とまり木信号の基地局等における送信電力、およびとまり木信号のブースターにおける受信電力、ならびに増幅された上り信号のブースターにおける雑音電力に基づいて上り信号の増幅の利得および下り信号の増幅の利得を制御する。
【先行技術文献】
【特許文献】
【０００５】
【特許文献１】特開２００１−０６９０９１号公報
【発明の概要】
【発明が解決しようとする課題】
【０００６】
しかし、干渉波レベルが高い通信エリアでは、上りリンクの信号を増幅することによって、必要以上に干渉波レベルが上昇してしまうおそれがある。この場合、ＴＡＡを設置して、希望波と干渉波との受信レベルを増幅する場合でも、Ｓ／Ｎの改善が制限される場合がある。
【０００７】
本発明は、上記問題を解決すべくなされたもので、Ｓ／Ｎを確保しつつ、上りリンクの信号を増幅することを目的とする。
【課題を解決するための手段】
【０００８】
（１）本発明の一態様は、端末装置が送信した上りリンクの信号を増幅する増幅装置と該増幅装置を制御する制御装置とを備えるシステムであって、前記制御装置は、上りリンクの信号の干渉波レベルに基づいて、増幅装置に設定する利得を決定する決定部と、前記決定部が決定した前記利得を示す情報を前記増幅装置へ出力する出力部とを備え、前記増幅装置は、前記制御装置が出力した前記利得を示す情報を取得する取得部と、端末装置が送信した上りリンクの信号を増幅する増幅部と、前記取得部が取得した前記利得を示す情報に基づいて、前記増幅部に利得を設定する設定部とを備えるシステムである。
【０００９】
（２）本発明の一態様は、上記（１）に記載のシステムにおいて、前記制御装置は、上りリンクの信号の干渉波レベルに基づいて、前記増幅装置の利得を変更するか否かを判定する判定部を備え、前記決定部は、前記判定部が前記増幅装置の利得を変更すると判定した場合に、上りリンクの信号の干渉波レベルに基づいて、前記増幅装置に設定する利得を決定する、システムである。
【００１０】
（３）本発明の一態様は、上記（２）に記載のシステムにおいて、前記判定部は、前記上りリンクの信号の干渉波レベルが第１の閾値以下である場合に、前記増幅装置の利得を変更すると判定する、システムである。
【００１１】
（４）本発明の一態様は、上記（２）に記載のシステムにおいて、前記判定部は、前記上りリンクの信号のＳ／Ｎ又はＮ成分が閾値未満である場合に、前記増幅装置の利得を変更すると判定する、システムである。
【００１２】
（５）本発明の一態様は、上記（２）から上記（４）のいずれかに一に記載のシステムにおいて、前記制御装置は、上りリンクの信号の干渉電力の一定時間の変動量を監視する監視部を備え、前記判定部は、前記監視部が監視している前記干渉電力の一定時間の変動量に基づいて、前記増幅装置の利得を変更するか否かを判定する、システムである。
【００１３】
（６）本発明の一態様は、上記（２）から上記（５）のいずれかに一に記載のシステムにおいて、前記判定部は、前記利得を示す情報が前記増幅装置へ出力される前の上りリンクの信号のＳ／Ｎ又はＮ成分が、前記利得を示す情報が前記増幅装置へ出力された後の上りリンクの信号のＳ／Ｎ又はＮ成分と比べ、第２の閾値以上改善していない場合、前記利得を示す情報を前記増幅装置へ出力する前の利得へ変更すると判定する、システムである。
【００１４】
（７）本発明の一態様は、上記（１）から上記（６）のいずれかに一に記載のシステムにおいて、前記出力部は、前記増幅装置へ電力を供給する電力線へ前記利得を示す情報を出力し、前記取得部は、前記電力線から前記利得を示す情報を取得する、システムである。
【００１５】
（８）本発明の一態様は、端末装置が送信した上りリンクの信号を増幅する増幅装置であって、制御装置が出力した利得を示す情報を取得する取得部と、端末装置が送信した上りリンクの信号を増幅する増幅部と、前記取得部が取得した前記利得を示す情報に基づいて、前記増幅部に利得を設定する設定部とを備える増幅装置である。
【００１６】
（９）本発明の一態様は、端末装置が送信する上りリンクの信号を増幅する増幅装置を制御する制御装置であって、上りリンクの信号の干渉波レベルに基づいて、増幅装置に設定する利得を決定する決定部と、前記決定部が決定した前記利得を示す情報を前記増幅装置へ出力する出力部とを備える、制御装置である。
【００１７】
（１０）本発明の一態様は、端末装置が送信する上りリンクの信号を増幅する増幅装置と該増幅装置を制御する制御装置とを備えるシステムによって実行される増幅方法であって、制御装置が、上りリンクの信号の干渉波レベルに基づいて、増幅装置に設定する利得を決定するステップと、前記制御装置が、前記決定するステップで決定した前記利得を示す情報を前記増幅装置へ出力するステップと、前記増幅装置が、前記制御装置が出力した前記利得を示す情報を取得するステップと、前記増幅装置が、前記取得するステップで取得した前記利得を示す情報に基づいて、利得を設定するステップと、前記増幅装置が、利得を設定するステップで設定した利得で、前記端末装置が送信する上りリンクの信号を増幅するステップとを有する、増幅方法である。
【発明の効果】
【００１８】
本発明の実施形態によれば、Ｓ／Ｎを確保しつつ、上りリンクの信号を増幅することができる。
【図面の簡単な説明】
【００１９】
【図１】実施形態に係るシステムを示す概要図である。
【図２】実施形態に係るシステムを示す機能ブロック図である。
【図３】Ｓ／Ｎと利得との関連を示す図である。
【図４】実施形態に係る増幅装置が上りリンクの信号を増幅した結果の一例（その１）を示す図である。
【図５】実施形態に係る増幅装置が上りリンクの信号を増幅した結果の一例（その２）を示す図である。
【図６】実施形態に係るシステムの動作を示すシーケンスチャートである。
【発明を実施するための形態】
【００２０】
＜実施形態＞
＜システム＞
図１は、実施形態に係るシステムを示す。システムは、端末装置１０ａと、端末装置１０ｂと、増幅装置１００と、制御装置２００とを備える。図１において、細い破線は、希望波と干渉波とを示し、太い破線は、希望波と干渉波とを増幅した結果を示す。
システムの一例は、ＬＴＥが適用されるシステムである。端末装置１０ａ、及び端末装置１０ｂの一例は、携帯電話、スマートフォン、タブレット端末等である。増幅装置１００の一例は、受信ＴＡＡ等の上りリンクの信号を受信する装置である。以下、端末装置１０ａと端末装置１０ｂとを区別する必要が無い場合には、端末装置１０と記載する。制御装置２００は、基地局３００に含まれる。
【００２１】
増幅装置１００は、基地局３００のアンテナと基地局３００との間のアンテナの直近に設置される。増幅装置１００は、端末装置１０が送信した上りリンクの信号を増幅し、増幅した信号を基地局３００へ出力する。基地局３００は、増幅装置１００が出力した増幅した信号を受信する。
【００２２】
基地局３００は、端末装置１０が送信した上りリンクの信号を受信すると、該受信した信号に含まれる干渉波レベルを測定する。基地局３００は、該受信した信号に含まれる干渉波レベルを測定すると、該干渉波レベルを示す情報を制御装置２００へ出力する。
【００２３】
制御装置２００は、基地局３００が出力した干渉波レベルを示す情報を取得すると、該干渉波レベルに基づいて、増幅装置１００に設定する利得を求め、該利得を示す情報を増幅装置１００へ出力する。増幅装置１００は、制御装置２００が出力した利得を示す情報を取得すると、該利得を示す情報に基づいて、利得を設定する。
【００２４】
図２は、実施形態に係るシステムを構成する増幅装置１００と制御装置２００とを示す機能ブロック図である。図２を参照して、増幅装置１００と制御装置２００について、詳細に説明する。図２において、基地局３００から増幅装置１００へ電力を供給する電力線と、増幅装置１００から基地局３００へ、増幅した上りリンクの信号を出力するフィーダー線は省略される。
【００２５】
＜増幅装置＞
増幅装置１００は、入力部１０２と増幅部１０４と制御部１０６とを備える。
入力部１０２は、制御装置２００等の他の装置から出力された各種データの入力を行う。具体的には、入力部１０２は、制御装置２００が出力する利得を示す情報を取得し、該利得を示す情報を、制御部１０６へ出力する。
増幅部１０４は、制御部１０６が設定した利得で、端末装置１０が送信した上りリンクの信号を増幅する。具体的には、増幅部１０４、送信アンプ（ＬＰＡ：  Ｌｉｎｅａｒ  Ｐｏｗｅｒ  Ａｍｐ）と受信アンプ（ＬＮＡ：  Ｌｏｗ  Ｎｏｉｓｅ  Ａｍｐ）とを備え、希望波と干渉波とを増幅することで、アンテナ給電系の損失を低減する。増幅部１０４が増幅した上りリンクの信号は、フィーダー線（図示なし）に出力され、基地局３００へ供給される。
【００２６】
制御部１０６は、例えばＣＰＵ（Ｃｅｎｔｒａｌ  Ｐｒｏｃｅｓｓｉｎｇ  Ｕｎｉｔ）などの演算処理装置及びメモリによって構成される。ＣＰＵが、メモリに記憶されたプログラムを実行することにより、取得部１０８、及び設定部１１０として機能する。
取得部１０８は、入力部１０２が出力する利得を示す情報を取得する。取得部１０８は、利得を示す情報を取得すると、該利得を設定部１１０へ出力する。
設定部１１０は、取得部１０８が出力した利得を示す情報を取得する。設定部１１０は、取得部１０８が出力した利得を示す情報を取得すると、該利得を増幅部１０４へ設定する。
【００２７】
＜制御装置＞
制御装置２００は、出力部２０２と記憶部２０４と制御部２１０とを備える。
出力部２０２は、増幅装置１００等の他の装置へ各種データの出力を行う。具体的には、出力部２０２は、制御部２１０が出力する利得を示す情報を取得すると、該利得を示す情報を、増幅装置１００へ出力する。
記憶部２０４は、例えばハードディスク（ＨＤ）やＲＯＭ等によって構成される。記憶部２０４には、制御部２１０によって実行されるプログラム２０６、Ｓ／Ｎ利得テーブル２０８を記憶する。Ｓ／Ｎ利得テーブル２０８は、端末装置１０が送信した上りリンクの信号の基地局３００におけるＳ／Ｎを示す情報と、基地局３００において該Ｓ／Ｎが得られた場合に増幅装置１００へ設定する利得を示す情報とが関連付けられて記憶される。
【００２８】
図３は、Ｓ／Ｎ利得テーブル２０８に設定されるＳ／Ｎと利得との関連を示す。図３において、太い実線は希望波を示し、破線は干渉波を示し、実線は干渉波レベルを示す。
図３の上図は、干渉波レベルが小さい（低い）場合を示す。干渉波レベルが小さいと、Ｓ／Ｎが大きくなる。利得を増加させると、希望波と干渉波の両方が増幅される。一方、利得を減少させると、希望波と干渉波の両方が減衰する。ここで、システム固有として存在する基地局のノイズやフィーダーのノイズは増幅されないため、干渉波レベルが低く、基地局のノイズやフィーダーのノイズの方が高い場合、利得を増加させることによりＳ／Ｎが改善される可能性がある。Ｓ／Ｎ利得テーブル２０８の一例には、Ｓ／Ｎの値に応じて、利得が設定されている。
【００２９】
図３の下図は、干渉波レベルが大きい（高い）場合を示す。干渉波レベルが大きいと、Ｓ／Ｎが小さくなる。利得を増加させると、希望波と干渉波の両方が増幅される。一方、利得を減少させると、希望波と干渉波の両方が減衰する。ここで、システム固有として存在する基地局のノイズやフィーダーのノイズは増幅されないため、干渉波レベルが高く、基地局のノイズやフィーダーのノイズに近い場合には、利得を増加させても、Ｓ／Ｎの改善は制限される。Ｓ／Ｎ利得テーブル２０８の一例には、Ｓ／Ｎの値に応じて、利得が設定されている。
【００３０】
図２に戻り説明を続ける。制御部２１０は、ＣＰＵなどの演算処理装置によって構成され、演算処理装置が、記憶部２０４に記憶されたプログラム２０６を実行することによって、監視部２１２と判定部２１４と決定部２１６として機能する。
監視部２１２は、基地局３００から上りリンクの信号の受信電界強度を示す情報を取得する。該上りリンクの信号の受信電界強度には、熱雑音の干渉（Ｉｎｔｅｒｆｅｒｅｎｃｅ  ｏｆ  Ｔｈｅｒｍａｌ  ｎｏｉｓｅ：  ＩｏＴ）電力と、干渉電力（Ｉｎｔｅｒｆｅｒｅｎｃｅ  Ｐｏｗｅｒ）とが含まれる。干渉電力には、増幅装置１００が増幅した信号に含まれる干渉波ノイズの電力と、増幅装置１００と基地局３００との間のフィーダー線で生じるノイズの電力との和とが含まれる。監視部２１２は、上りリンクの信号の受信電界強度に基づいて、干渉電力の一定時間の変動量を求めることによって、Ｓ／Ｎを監視する。監視部２１２は、Ｓ／Ｎを示す情報を判定部２１４へ出力する。
【００３１】
判定部２１４は、監視部２１２が出力するＳ／Ｎを示す情報を取得すると、該Ｓ／Ｎを示す情報に基づいて、増幅装置１００に設定する利得を変更するか否かを判定する。具体的には、判定部２１４は、Ｓ／Ｎが第１の閾値以上である場合には、現状の利得の設定を維持すると判定する。一方、判定部２１４は、Ｓ／Ｎが第１の閾値未満である場合には、現状の利得の設定を変更すると判定する。現状の利得の設定を変更すると判定した場合、判定部２１４は、決定部２１６へ、Ｓ／Ｎを示す情報を出力する。
【００３２】
決定部２１６は、判定部２１４が出力したＳ／Ｎを示す情報を取得すると、記憶部２０４に記憶されているＳ／Ｎ利得テーブル２０８を参照し、該Ｓ／Ｎを示す情報に関連する利得を示す情報を取得する。決定部２１６は、利得を示す情報を取得すると、該利得を示す情報を出力部２０２へ出力する。出力部２０２は、該出力部２０２と増幅装置１００の入力部１０２とを接続する専用線へ、該利得を示す情報を出力する。これによって、出力部２０２から、増幅装置１００へ、利得を示す情報が出力される。
【００３３】
＜増幅装置での上りリンクの信号の増幅例（その１）＞
図４は、増幅装置での上りリンクの信号の増幅例（その１）を示す。図４において、左図は増幅前を示し、右図は増幅後を示す。また、実線は希望波を示し、破線は干渉波を示し、二点鎖線は増幅装置１００と基地局３００との間のフィーダー線で生じるノイズを示す。
図４に示される例では、干渉波は、フィーダー線で生じたノイズよりも小さいことが分かる。また、増幅の前後において、二点鎖線で示されるフィーダー線で生じるノイズは、ほぼ一定であることが分かる。つまり、増幅装置１００において、制御装置２００で決定された利得で増幅した場合、希望波と干渉波との両方が増幅されるが、フィーダー線で生じるノイズはほとんど増幅されない。この場合、フィーダー線で生じたノイズが支配的となるため、ノイズ成分としては、フィーダー線で生じるノイズを考慮すればよい。「Ｓ」を希望波とし、「Ｎ１」をフィーダー線で生じるノイズとすると、増幅前のＳ／Ｎ１が２であるのに対し、増幅後のＳ／Ｎ１が３となる。
したがって、干渉波がフィーダー線で生じるノイズよりも小さい場合には、増幅装置１００によって行われる増幅で、希望波は増幅されるが、フィーダー線で生じるノイズはほぼ一定であるため、Ｓ／Ｎは上昇する。つまり、干渉波レベルが低く、Ｓ／Ｎが低い場合には、増幅することによって、さらにＳ／Ｎを高くできる。
【００３４】
＜増幅装置での上りリンクの信号の増幅例（その２）＞
図５は、増幅装置での上りリンクの信号の増幅例（その２）を示す。図５において、左図は増幅前を示し、中図は増幅後（その１）を示し、右図は増幅後（その２）を示す。また、実線は希望波を示し、破線は干渉波を示し、二点鎖線は増幅装置１００と基地局３００との間のフィーダー線で生じるノイズを示す。
図５に示される例では、干渉波は、フィーダー線で生じたノイズよりも小さいが、図４に示される例よりも、フィーダー線で生じたノイズに近づいていることが分かる。また、増幅の前後において、二点鎖線で示されるフィーダー線で生じるノイズは、ほぼ一定であることが分かる。つまり、増幅装置１００において、制御装置２００で決定された利得で増幅した場合、希望波と干渉波との両方が増幅されるが、フィーダー線で生じるノイズはほとんど増幅されない。この場合、干渉波が増幅されることによって、フィーダー線で生じるノイズよりも高くなる。このため、干渉波が支配的となるため、ノイズ成分としては、干渉波を考慮すればよい。
「Ｓ」を希望波とし、「Ｎ２」を干渉波とすると、増幅前のＳ／Ｎ２は３/１であり、増幅後（その１）のＳ／Ｎ２は４．５／１．５＝３となり、増幅後（その２）のＳ／Ｎ２は６／２＝３となる。
したがって、干渉波が、フィーダー線で生じるノイズに近づくと、増幅装置１００によって行われる増幅で、希望波は増幅されるが、干渉波も増幅される。つまり、つまり、干渉波レベルが高く、Ｓ／Ｎが低い場合には、増幅した場合でも、Ｓ／Ｎの改善は制限される。
【００３５】
＜システムの動作＞
図６は、実施形態に係るシステムの動作の一例を示すシーケンスチャートである。
ステップＳ６０２では、制御装置２００の監視部２１２は、上りリンクの信号の受信電界強度に基づいて、Ｓ／Ｎを監視する。
ステップＳ６０４では、制御装置２００の判定部２１４は、監視部２１２が監視した第１のＳ／Ｎを保持する。そして、判定部２１４は、第１のＳ／Ｎが第１の閾値以上であるか否かを判定する。第１のＳ／Ｎが第１の閾値以上である場合、ステップＳ６０２へ戻る。
【００３６】
ステップＳ６０６では、第１のＳ／Ｎが第１の閾値以上でない場合、制御装置２００の決定部２１６は、利得を決定する。具体的には、決定部２１６は、記憶部２０４に記憶されたＳ／Ｎ利得テーブル２０８を参照し、第１のＳ／Ｎに関連する利得を示す情報を取得する。
ステップＳ６０８では、制御装置２００の出力部２０２は、増幅装置１００へ、決定部２１６が決定した利得を示す情報を出力する。
ステップＳ６１０では、増幅装置１００の入力部１０２は、制御装置２００が出力した利得を示す情報を取得すると、該利得を示す情報を、制御部１０６へ出力する。制御部１０６の取得部１０８は、入力部１０２が出力した利得を示す情報を取得すると、該利得を示す情報を設定部１１０へ出力する。
【００３７】
ステップＳ６１２では、増幅装置１００の設定部１１０は、取得部１０８が出力した利得を示す情報を取得すると、該利得を示す情報が示す利得を、増幅部１０４へ設定する。
ステップＳ６１４では、増幅装置１００において、増幅部１０４の利得が変更された後、制御装置２００の判定部２１４は、監視部２１２が監視した第２のＳ／Ｎと保持している第１のＳ／Ｎとを比較する。
ステップＳ６１６では、制御装置２００の判定部２１４は、第２のＳ／Ｎが第１のＳ／Ｎから第２の閾値以上改善しているか否かを判定する。
ステップＳ６１８では、制御装置２００の決定部２１６は、判定部２１４が第２のＳ／Ｎが第１のＳ／Ｎから第２の閾値以上改善していると判定した場合、現状の利得を維持すると決定する。
ステップＳ６２０では、制御装置２００の決定部２１６は、判定部２１４が第２のＳ／Ｎが第１のＳ／Ｎから第２の閾値以上改善していない判定した場合、利得を変更前の利得に戻すと判定する。この場合、決定部２１６は、出力部２０２へ、変更前の利得を示す情報を出力する。出力部２０２は、増幅装置１００へ、決定部２１６が決定した利得を示す情報を出力する。増幅装置１００の入力部１０２は、制御装置２００が出力した利得を示す情報を取得すると、該利得を示す情報を、制御部１０６へ出力する。制御部１０６の取得部１０８は、入力部１０２が出力した利得を示す情報を取得すると、該利得を示す情報を設定部１１０へ出力する。設定部１１０は、取得部１０８が出力した利得を示す情報を取得すると、該利得を示す情報が示す利得を、増幅部１０４へ設定する。ステップＳ６１８又はステップＳ６２０の処理の終了後、ステップＳ６０２へ戻る。
図６に示されるシーケンスチャートにおいては、ステップＳ６０４において、Ｓ／Ｎが第１の閾値以上である場合には、ステップＳ６０２に戻る場合について説明したが、この限りでない。例えば、Ｓ／Ｎが第１の閾値以上である場合に、利得を上昇させる制御が行われてもよい。
【００３８】
実施形態に係るシステムによれば、基地局３００は、上りリンク信号を受信すると、受信信号から数値化された干渉波レベルを認識する。制御装置２００は、基地局３００が認識した干渉波レベルを取得すると、該干渉波レベルに適した利得を求め、該利得を示す情報を増幅装置１００へ出力する。増幅装置１００は、制御装置２００から利得を示す情報を取得すると、利得を設定する。増幅装置１００を設置した後に通信エリア内で干渉波が増加した場合でも、該干渉波レベルに適した利得を調整することにより、増幅装置１００が不要又は邪魔にならず、且つＶｏＬＴＥ（Ｖｏｉｃｅ  ｏｖｅｒ  Ｌｏｎｇ  Ｔｅｒｍ  Ｅｖｏｌｕｔｉｏｎ（ＬＴＥ））の品質を向上させるように通信エリアの調整を自動化ができる。通信エリア状態の変化に追従して、利得を調整することで、信頼性を向上できる。つまり、増幅装置１００の利得を固定値から可変にし、基地局３００が認識した干渉波レベルに応じて該利得を変更する。これによって、通信エリアに応じて、アダプティブに利得を最適化できるため、増幅装置１００を使用できる通信エリアを拡大できるとともに、上りリンクの信号のＳ／Ｎを確保することができる。その結果、特に、ＶｏＬＴＥの品質を向上させることができ、コストを抑制し、パフォーマンスの信頼性の高いシステムを構築することができる。
【００３９】
前述した実施形態では、システムの一例として、ＬＴＥが適応される場合について説明したが、この例に限られない。例えば、ＣＤＭＡ等の他の通信方式が適用されてもよい。
前述した実施形態では、制御装置２００が基地局３００に含まれる場合について説明したが、この例に限られない。例えば、基地局３００と異なる場所に制御装置２００が設置されてもよい。この場合、基地局３００は、制御装置２００へ、干渉波レベルを示す情報を送信する。制御装置２００は、基地局３００が送信した干渉波レベルを示す情報を取得すると、該干渉波レベルに基づいて、増幅装置１００に設定する利得を求め、該利得を示す情報を増幅装置１００へ送信するようにしてもよい。また、制御装置２００が増幅装置１００に含まれてもよい。
前述した実施形態では、制御装置２００が上りリンクの信号の受信電界強度に基づいて、Ｓ／Ｎを監視する場合について説明したが、この例に限られない。例えば、制御装置２００は、上りリンクの信号の受信電界強度に基づいて、Ｎ成分を監視するようにしてもよい。この場合、判定部２１４は、Ｎ成分が閾値未満である場合に利得を変更すると決定し、Ｎ成分が閾値以上である場合に利得を変更しないと決定するようにしてもよい。
【００４０】
前述した実施形態では、制御装置２００が上りリンクの信号の受信電界強度に基づいて、Ｓ／Ｎを監視する場合について説明したが、この例に限られない。例えば、制御装置２００は、上りリンクの信号の受信電界強度に基づいて、干渉波レベルを監視するようにしてもよい。この場合、判定部２１４は、干渉波レベルが閾値以上である場合に利得を変更しないと決定し、干渉波レベルが閾値未満である場合に利得を変更すると決定するようにしてもよい。
前述した実施形態では、制御装置２００から増幅装置１００へ専用線で利得を示す情報が送信される場合について説明したが、この例に限られない。例えば、基地局３００から増幅装置１００へ電力を供給する電力線へ、制御装置２００は、利得を示す情報を出力し、増幅装置１００は、該電力線から該利得を示す情報を取得するようにしてもよい。また、例えば、制御装置２００は、基地局３００と増幅装置１００との間のフィーダー線へ、利得を示す情報を出力し、増幅装置１００は、該フィーダー線から該利得を示す情報を取得するようにしてもよい。この場合、フィーダー線を伝送する高周波電力に、利得を示す情報が重畳される。
【００４１】
前述した実施形態では、制御装置２００の監視部２１２が熱雑音の干渉電力と干渉電力とを監視する場合について説明したが、この例に限られない。例えば、監視部２１２は、熱雑音の干渉電力と干渉電力とに加え、基地局３００のセクタ以外に在圏する端末装置が送信する電波による干渉電力を監視するようにしてもよい。
【００４２】
以上、本発明の実施形態及びその変形例を説明したが、これらの実施形態及びその変形例は、例として提示したものであり、発明の範囲を限定することは意図していない。これら実施形態及びその変形例は、その他の様々な形態で実施されることが可能であり、発明の要旨を逸脱しない範囲で、種々の省略、置き換え、変更、組合せを行うことができる。これら実施形態及びその変形例は、発明の範囲や要旨に含まれると同時に、特許請求の範囲に記載された発明とその均等の範囲に含まれるものである。
【００４３】
なお、上述の増幅装置１００及び制御装置２００は内部にコンピュータを有している。そして、上述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００４４】
１０ａ、１０ｂ…端末装置、１００…増幅装置、１０２…入力部、１０４…増幅部、１０６…制御部、１０８…取得部、１１０…設定部、２００…制御装置、２０２…出力部、２０４…記憶部、２０６…プログラム、２０８…Ｓ／Ｎ利得テーブル、２１０…制御部、２１２…監視部、２１４…判定部、２１６…決定部、３００…基地局
【図１】
2018056905.tif 000003
【図２】
2018056905.tif 000004
【図３】
2018056905.tif 000005
【図４】
2018056905.tif 000006
【図５】
2018056905.tif 000007
【図６】
2018056905.tif 000008